(57)【特許請求の範囲】
【請求項１】
鋼製の階段桁と踏板とを備える階段構造であって、前記踏板が２０〜６０ｍｍの厚みの非金属無機質材からなり、前記踏板の長手方向の両端部が前記階段桁に固定されており、前記踏板が中空部を有し、前記中空部が前記踏板の長手方向の両端部に開口部を有するように形成されており、前記各開口部が密閉されている事を特徴とした階段構造。
【請求項２】
前記踏板が踏面部と蹴込み部とを備えており、前記踏板が断面略Ｌ字形状を有する、請求項１記載の階段構造。
【請求項３】
前記踏板の長手方向の両端部に、螺着固定部が設けられている、請求項１又は２記載の階段構造。
【請求項４】
前記階段桁が８ｍｍ厚鋼板と同等以上の曲げ剛性を有する、請求項１〜３のいずれか一項記載の階段構造。
【請求項５】
前記踏板上に階段マットが設けられており、前記階段マットがゴム材料から形成されており、前記階段マットが前記踏板上に粘接着層を介して固定されており、前記階段マットが表面上に凹凸部を有し、前記凹凸部の凸部上に微細な凹凸部が形成されている、請求項１〜４のいずれか一項記載の階段構造。
【発明の詳細な説明】
【技術分野】
【０００１】
本発明は鋼製の階段桁と踏板とを備える階段構造に関し、更に詳しくは、本発明は、階段の防音と安全性の向上とを階段本体の構造及び階段マットの両面から改善する事が出来る階段構造に関する。
【背景技術】
【０００２】
所謂、鋼製階段は強度が大きい割に比較的低コストである為、アパートを初めとする多くの建築物で利用されて来ている。しかし、鋼製階段は、踏板の曲げ振動に起因する放射音が発生し易く、階段各部への振動伝達が速く、一カ所を加振した時に複数箇所が発音源となり易い。したがって、騒音及び振動について弱点がある。一方で、鋼製階段には、踏み外し等の安全面でも特に配慮が必要で、ノンスリップ性が段鼻材にも踏面にも必要であり、特に、段鼻材と踏面の踏み外し防止は重要である。
【０００３】
鋼製階段は、発音量が大きい為、防音対策について多くの提案が為されている。踏板や踊り場に、ゴムや樹脂シート、カーペット等のマット類を設置し、履物と踏板が直接接触する事を防止している。又、踏板や踊り場や蹴込みに、拘束型制振材や非拘束型制振材を貼り付けたり、踏板を制振鋼板としたりする方法も提案されている（例えば、特許文献１及び２参照）。
【特許文献１】特開２００３−２５３８３９号公報
【特許文献２】特開平５−１５６７６９号公報
【発明の開示】
【発明が解決しようとする課題】
【０００４】
鋼製階段では、踏み外し等の安全面において、段鼻材と踏面の輝度の差を大きくする事で踏み外し防止に効果が高いにも拘らず、これらの輝度差に着目した階段マットは使用されていない。又、多くの防音対策について従来の提案は、踏板の曲げ振動により発生する放射音の音質を変える事が出来るものの、曲げ振動がそのまま発生するので、高周波音の改善に留まっている。拘束型制振材等の貼付や制振鋼板の使用は、踏板の曲げ振動を改善する事が出来るものの、依然として防音性能に乏しく、特に低周波の解消には至っていない。
【０００５】
本発明は、非金属の無機質の踏板によって、発音量の少ない、特に、低周波騒音が低減される鋼製階段を得る事を課題とする。又、本発明は、更に安全面に対して、特に、踏み外し防止に効果の高い段鼻部と踏面部とを備える階段マットによって、安全性と共に、低周波から高周波までの騒音抑制に優れる階段構造を得る事を課題とする。
【課題を解決するための手段】
【０００６】
本発明は、鋼製の階段桁と踏板とを備える階段構造であって、前記踏板が２０〜６０ｍｍの厚みの非金属無機質材からなり、前記踏板の長手方向の両端部が前記階段桁に固定されている、階段構造に係るものである。
【０００７】
本発明は、鋼製階段では、材料上、振動が伝わり易い為、音、振動を防止し難く、その性質が、特に、鋼製階段に用いる踏板や蹴込みに起因するという知見に基づく。
【０００８】
本発明者は多くの鋼製階段を昇降し、発音量が少なくなる特徴を調査したところ、一定の共通点を見出した。つまり、発音量の少ない鋼製階段は、踏板の剛性が高く、曲げ振動が少ないタイプのもので、特に、剛性補強の溶接が行われたタイプの踏板か、又は踏板の曲げ加工と剛性補強の溶接が行われたタイプのものであった。更に、階段桁と、曲げ剛性を高くしたタイプの踏板との組合せの場合には、更に騒音が少なくなり、特に低周波音の発音量が低いという知見を得た。
【０００９】
これらの知見を元に、本発明者は多くの実験を行ったところ、踏板を非金属の無機質材料からなる様にする事で、低コストで、特に、他では低減効果を得難い低周波騒音について騒音の少ない階段が得られるという知見を得た。
【発明の効果】
【００１０】
本発明によれば、２０〜６０ｍｍの厚みの非金属無機質材からなる踏板によって、又は踏面部と蹴込み部とを備える踏板によって、発音量の少ない、特に、低周波騒音が低減される鋼製階段が得られる。
【発明を実施するための最良の形態】
【００１１】
鋼製階段の低周波から高周波までの騒音を抑制するという目的を、非金属無機質材からなる踏板によって、コスト増を抑えて、安全性を損なわずに実現した。
【００１２】
本発明では、鋼製階段の踏板を非金属無機質材とする。一般に、鋼製階段の鋼製踏板は、２ｍｍ〜６ｍｍ程度の薄い板厚が用いられ、振動し易く、放射音が生じ易く、しかも振動減衰もし難いもので、騒音が生じ易かった。この踏板を非金属無機質材とすると、特に、人工石材等は脆いという特質を有するが故に、安全面からは５〜１０倍程度の厚み、つまり２０ｍｍ〜６０ｍｍ程度で用いるのが良く、それに伴って、振動し難く、放射音も生じ難くなり、特に、低減し難い低周波音を低減する事が出来る。人工石材等の踏板の厚みが２０ｍｍ未満では、安全性に問題が生じ、６０ｍｍを超すと重く、作業性が徐々に悪くなるので、踏板としては好ましくない。
【００１３】
非金属無機質材（以下、単に「無機質材」と称する事がある。）としては、特に制限され無いが、コンクリート、モルタル、ＰＣ版、ＡＬＣ版、押出中空セメント版等の非金属鉱物等からなる人工又は天然の石材を挙げる事が出来る。これらの非金属無機質材は、配筋等として鉄等の金属を内部に埋設等して含んでも良い。かかる踏板は、その一部を階段桁に固定する事で、低周波騒音を有効に抑制する事が出来る。更に、低周波騒音抑制の為には、踏板の剛性を高める事、特に曲げ剛性を高めるのが有効である。
【００１４】
踏板の曲げ剛性は、特に制限される事無く、種々の手段を用いて高める事が出来る。例えば、踏板を前述の様に肉厚の無機質材で形成し、それ自体で、曲げ剛性等を高める事が出来る。又、踏板を補強する手段として、踏板の長手方向の両端部を階段桁において固定するのも有効な手段となる。
【００１５】
平板状の通常の踏板は、凹凸形状、中空部を設ける等の立体的に構成すると、軽量化と共に、曲げ剛性向上の点で良く、特に、踏板の踏面部が形成する平面とは異なる平面を形成する部分、例えば、踏板に蹴込み部等を設ける事によって、踏板の曲げ剛性向上が図れる。蹴込み付き踏板とすれば、通常の踏面も維持出来、踏板と蹴込みとを別々に設ける必要が無くなり、より一層のコスト低減が図れる。蹴込み部は、踏板の踏面部から上側又は下側、更にはその双方から突出する様に設ける事が出来る。階段昇降に支障が無い限り、踏面部の下側に補強部を設ける事も出来る。
【００１６】
踏板は、蹴込み部も含めて、短辺が断面で見て略Ｌ字状となる形状にすると、更に発音量も低減する。踏板は、例えば、中空押出セメント成型板にするときには、中空部の気柱の共鳴音を防止する為に、長手方向の両端の開口部に栓をする事等で密閉し、容易に共鳴音を解消出来る。このとき、栓の役割を雌ねじとセメントを組合せて、隙間無く開口部を塞ぎ、かつ、雌ネジ位置を一定位置に設計すれば、踏板と階段桁の取付位置を必然的に設定出来、階段組付作業も容易になる。
【００１７】
階段桁は、形状、構造、材質等、特に制限される事は無いが、８ｍｍ厚鋼板と同等以上の曲げ剛性を有するタイプにする事で、更に階段構造の低周波騒音を改善出来る。
【００１８】
本発明では、踏板上に階段マットを設ける事が出来る。階段マットは、種々の成分からなるゴム等を包含する種々のゴム材料から形成する事が出来る。階段マットは踏板に粘接着する事が出来る。
【００１９】
階段マットは踏面部と段鼻部とを備える事が出来る。この場合、階段マットの踏面部と段鼻部の輝度差を充分大きくする事が出来、輝度差は明るさ、蛍光、等により設計する事が出来る。十分な輝度差で、階段の先端部を明瞭に出来、踏み外し等の防止が出来る。
【００２０】
又、階段マットは、表面上に凹凸部を有し、この凹凸部の凸部上に微細な凹凸部を形成する事が出来る。階段マット表面上の凹凸部及び微細な凹凸部はマット成形用型に予め設計しておく事で得る事が出来る。マット表面は、深い凹凸部等の模様に出来、美観の向上に役立つと共に、更にその凸部等に非常に浅いわずかな凹凸部等の模様を有する様にする事で、模様に変化を持たせ、ノンスリップ性が更に増し、より一層安全性の高い、低周波から高周波までの発音量の少ない階段が得られる。
【００２１】
上述の様に、好ましくは、鋼製階段の踏板は蹴込み部を備え、この踏板を無機質材から形成し、この踏板両端部を階段桁に固定し、段鼻材付きゴムマットを前記踏板に粘接着し、段鼻材付きゴムマットの踏面部と段鼻部の輝度差を充分大きくする。
【００２２】
以下、本発明の実施の形態について更に詳しく述べる。
鋼製階段は本来、低コストで供用出来る事が前提であり、例えば、防音目的で複雑な防音処理を施して高い効果が得られても、高コストであっては受け入れられない。通常、鋼製階段の中高周波音は、階段の表面仕上マットで相当改善が可能であるが、低周波音を低減する事は不可能である。階段の踏板が鋼板であると、曲げ剛性の補強材、溶接コスト、防錆塗装等コスト増が大きく、踏板に鋼材を用いるメリットは無い。
【００２３】
そこで、無機質板を用いると、剛性補強を行う鋼製踏板よりも低コストとなり、発音量も著しく低減し、特に、低周波音が低減する。無機質板の具体例としては、コンクリート板、ＰＣ板、中空押出しセメント成型板、ＡＬＣ板等を例示する事が出来る。
【００２４】
かかる無機質板を踏板として用いる場合、蹴込み部を含む部分で短辺断面が略Ｌ字状となったものを用いると、曲げ剛性が大きくなり、発音量が低減する丈でなく、踏板の取付と同時に蹴込みの取付も終了し、組立作業が早く簡単となり、施工上のメリットが出る。
【００２５】
無機質板は、成型時に、両端部の一定位置に、例えば、階段桁に対する固定部を設定し易く、これが別途固定部を設けるコスト増を抑える上で大きなメリットとなる。固定部としては、特に制限される事無く、種々の手段を用いる事が出来るが、雌ネジ等の螺着固定部とするのが良い。尚、本発明では、もちろん別途固定部を設けても良い。
【００２６】
無機質板で、中空押出セメント成型板の様に、中空部と開口端を有するものを用いる場合、中空部は気柱共鳴音が生じ易いので、両端の開口端部に栓をする事等で密閉し、共鳴音の発生を回避すれば良い。又、開口部は、例えば、雌ネジ等の固定部とし、セメント等で隙間を埋めて栓に代えると、一定位置に固定部を設定出来、組立時に都合が良い。
【００２７】
踏板を非金属無機質板とする事で低周波音は充分低減出来るが、更に大きな改善効果を得たい場合は、階段桁が、その材質として８ｍｍ厚鋼板と同等以上の曲げ剛性を有する様にすると、低周波を更に低減出来る。
【００２８】
コスト面で許容可能であるなら、前述の踏板と階段桁とを併用する事が騒音防止の観点からは好ましい。鋼製階段の低周波音の改善には上記方法が現状では一番低コストで確実な方法である。
【００２９】
他に履物と踏板の直接接触音を防止するには、階段の仕上材又は表面材として、階段マットが最適である。階段マットの具備すべき要件としては、音の観点からは、衝撃吸収性に優れ、復元性の良いものであり、安全面では、必要に応じて段鼻材又は段鼻部を設ける事も出来るが、段鼻と階段マット踏面の輝度差の充分に大きいものであり、明瞭に階段先端部が認識出来る事とノンスリップ性である。
【００３０】
輝度の１つの目安としては、ＪＩＳ−Ｃ−７６１４等により、踏面の輝度（ａ）と段鼻材の輝度（ｂ）を測定し、ａ／ｂを輝度比とし、１．５以上を充分大きな輝度比とすれば、踏み込み外し事故は非常に少なくなる。
【００３１】
ノンスリップ性は、特に、水で濡れたときのノンスリップ性が求められる。ゴムは、一般に、乾燥時には滑り難いが、濡れると水膜が形成され、非常に滑り易くなる事がある。そこで、従来から、溝や凹凸模様で水膜を生じ難くする事が行われているが、これとて完全ではない。完全を期す為には、凹凸模様の凸面に更にわずかな凹凸模様を設ける事が出来る。これにより、凸部自体を水膜が形成され難くする事が出来、たとえ濡れても、更に滑り難く、より一層安全側に立った改善が可能である。
【００３２】
ノンスリップ性は、ゴムの濡れた時のＪＩＳ−Ａ−１４０７等の床滑り抵抗係数（Ａ）とゴムの乾燥時の床滑り抵抗係数（Ｂ）の測定値に基づく事が出来、その比（Ａ／Ｂ）が０．７以上なら、濡れていても非常に滑り難いと判断される。
【００３３】
階段マットのゴムは、特に制限はなく、ゴム、エラストマーを単独又は複数配合する事が出来、各種ゴムやエラストマーを併用しても良く、場合によっては、プラスチック等と併用しても良い。これらのゴム等は、ゴム工業等で一般に使用される充填剤や可塑剤やその他の添加剤を使用すれば良い。
【００３４】
特に、ゴムマットと無機質板は粘接着層を介する固定が良く、この場合、粘接着材としては、粘性に富んだ粘弾性体が適しており、両面テープ、粘性に富んだ粘弾性体、粘着材を例示する事が出来る。それ等の中では、特に、環境中に溶剤が揮散する事を避ける為には、無溶剤タイプとする事が望ましい。又、リン系可塑剤も揮散による健康被害も報告例があるので、その様な物は使用しない事がこれからの供給者側には求められている。その様な中で、無溶剤型両面テープや、再生ゴムをベースポリマーとした無溶剤型の粘性に富む粘弾性体は、加硫ゲル分やカーボンを必然的に含有し、耐熱性や耐クリープ特性に優れる為、比較的厚みを厚く、例えば、０．５〜３ｍｍで使用しても、問題は生じず、踏板とゴムマットを拘束材とした拘束型制振材が自動的に形成され、階段昇降により発生する歩行衝撃を緩和すると共に振動を軽減し易くなる。
【００３５】
階段の昇降音は床衝撃音と類似した発音メカニズムと思われる。つまり、軽量床衝撃音と重量床衝撃音の混合した音であり、特に、低周波音は重量床衝撃音と類似している。それは、昇降時には体重移動を必然的に伴う事と比較的衝撃継続時間が長い事からであろうと思われる。それ故に、踏板を鋼材よりはるかに振動し難く、厚みの厚い無機質板とする事で、曲げ振動が抑制され、それに伴って、踏板からの放射音量が著しく低減するのである。
【００３６】
図面を参照して、本発明をより一層詳細に説明する。
図１は本発明の１例の階段構造の側面図である。図２は図１の階段構造の正面図である。図３は本発明にかかる１例の踏板の斜視図である。図４は本発明にかかる他の例の踏板の斜視図である。図５は本発明にかかる階段マットの部分的な断面図であり、（ａ）は段鼻部を示す断面図であり、（ｂ）は（ａ）の表面部を拡大した断面図である。図６は本発明にかかる更に他の例の踏板の斜視図である。
【００３７】
図１は本発明の１例の階段構造１の側面図を示す。階段構造１は、階段桁２と、踏板３とを備え、踏板３は２０〜６０ｍｍの厚みの非金属無機質材からなる。又、踏板３は踏面部３Ａと蹴込み部３Ｂとを備える事が出来る。階段構造１は、基盤４上に台部材５を介して固定されている。階段桁２は垂直部２Ａと傾斜部２Ｂとを備え、傾斜部２Ｂにおいて、踏板３がボルト６によって固定されている。階段構造１は、騒音測定によって、低周波騒音の著しい減少を示す。
【００３８】
図２は階段構造１の正面図を示す。階段構造１は、台部材５に階段桁２を設け、階段桁２の傾斜部２Ｂの所定位置に踏板３をボルトによって固定する事で得られる。図１ものと同様に、踏板３は、蹴込み部３Ｂを踏面部３Ａと一体成型して得られるが、他の形態の踏板でも差し支えない。
【００３９】
図３は、図１の階段構造１で用いる１例の踏板３の斜視図である。踏板３は中空押出セメント成型板からなり、踏面部３Ａと蹴込み部３Ｂとの一体成型品として形成してある。踏板３の踏面部３Ａの長手方向には、２本の中空部３Ｃがあり、それぞれの両端部はモルタル３Ｄで栓をし、このとき、雌ネジを切った鉄片７も芯／芯２００ｍｍの間隔でモルタル中に埋めて固定してある。
【００４０】
図４は他の例の踏板１３の斜視図である。踏板１３は型枠に雌ネジを切った鉄片１７を２００ｍｍ間隔で取り付け、配筋をした後、コンクリートを流し込み、脱型して作製したものであり、踏面部１３Ａと蹴込み部１３Ｂとを同時に成型したものである。
【００４１】
図５（ａ）及び（ｂ）は段鼻材付ゴムマット８の部分断面図である。マット８は踏面部８Ａと段鼻部８Ｂとを備える。踏面部８Ａと段鼻部８Ｂの上面には、長手方向に数本の溝部８Ｃが形成されており、溝部８Ｃが凹部となり、溝部８Ｃの間が凸部８Ｄとなり、凹部と凸部とが交互に形成される様にしてある。マット８の下面には、粘着層９が形成されている。図５（ｂ）に詳細に示す様に、踏面部８Ａと段鼻部８Ｂの凸部８Ｄ上には浅い凹凸８Ｅが形成されている。
【００４２】
図６は更に他の例の踏板２３の斜視図である。踏板２３は蹴込み部のない中空押出セメント成型板２３Ａからなる。図３の踏板３と同様に、中空部両端部は雌ネジを切った鉄片７の間を２００ｍｍ間隔とし、モルタル３Ｄで栓をするものである。具体的には、中空押出セメント板を用意し、中空部両端に、実施例１と同様に、雌ネジを切った鉄片とモルタルとで、雌ネジが芯／芯２００ｍｍになる様にして、硬化乾燥させ、中空部の両端に栓と固定部を作る。
【実施例】
【００４３】
以下、図面を参照して、実施例及び比較例に基づき、本発明をより一層具体的に説明する。
図７は比較例にかかる踏板の斜視図である。図８は図７の踏板の断面図であり、（ａ）は図７のＡ−Ａ線で切って見た踏板の断面図であり、（ｂ）はＢ−Ｂ線で切って見た踏板の断面図である。
【００４４】
（実施例１）
図１及び２に示す様な階段構造を施工する。図３に示す様な踏板を作製し、図１及び２に示す様に、階段桁（鋼材厚み１０ｍｍ）を取り付ける。踏板は、蹴込み部と一体化している。４５ｍｍ厚×２７５ｍｍ幅×１４０ｍｍ蹴込み高さ×１０００ｍｍ長さの中空押出セメント板（中空部２カ所）に、雌ネジを切った鉄片を芯／芯２００ｍｍピッチで中空部に設置し、モルタルで固定乾燥させて、踏板中空部の両端の栓とする。
【００４５】
音性能実験は、前記踏板を図１及び２に示す様に取り付けて作製した階段を無響室に搬入し、踏板の踏面に、図５に示す様な段鼻材付きゴムマットを設置して行う。このゴムマットは、その下面の無溶剤型粘弾性体を用いて踏板に貼り付ける。このゴムマットは、以降、実施例、比較例とも、何れも同じゴムマットを使用する。
【００４６】
鉄球（直径５０φｍｍ、８８０ｇ）を高さ３００ｍｍから上記ゴムマット上に自然落下させた時（下から３段目の踏板のゴムマット上に落下させる。）と、衝撃力特性（II）の重量床衝撃源（以下、「ＳＢＲボール」と言う）を高さ６００ｍｍから３段目の踏板のゴムマット上に自然落下させた時の二種の衝撃で、踏板前方１ｍ、高さ１ｍのマイク位置で各騒音測定を行い、その結果を表１に示す。
【００４７】
段鼻材付きゴムマットについては、輝度は、ＪＩＳ−Ｃ−７６１４に準じ、マット踏面（ａ）と段鼻材の各々（ｂ）の輝度を求め、ａ／ｂを輝度比として、表１に示す。又、同様に、マットのノンスリップ性は、ＪＩＳ−Ａ−１４０７に準じ、段鼻材とマット踏面の各々について、水で濡れた状況での床滑り抵抗値（Ａ）と乾燥時の床滑り抵抗値（Ｂ）を測定し、Ａ／Ｂを求め、表１に示す。
【００４８】
（実施例２）
図１及び２に示す様な階段構造を施工する。この例では、図４に示す様な踏板を作製する。型枠内に、配筋と長辺両端に設ける雌ネジを所定位置に固定しておき、コンクリートを流し込み、蹴込み部付踏板５０ｍｍ厚×２７５ｍｍ幅×１４０ｍｍ蹴込み高さ×１０００ｍｍ長さを作製する。実施例１と同様に階段構造を施工し、音性能を測定する。詳しくは、実施例１の踏板４枚と、この例の方法で作製する踏板４枚とを取り換えて、実施例１で用いるのと同じ段鼻材付きゴムマットを粘接着して、衝撃源の鉄球、ＳＢＲボールを自然落下させ、実施例１と同じ条件で騒音測定を行う。結果を表１に示す。
【００４９】
（実施例３）
図１及び２に示す様な階段構造を施工するが、図６に示す様な踏板を用いる。この踏板は、中空押出セメント板（中空部２カ所）４５ｍｍ厚×２７５ｍｍ幅×１０００ｍｍ長さからなる。
【００５０】
得られる踏板４枚を、実施例２で用いた階段の踏板４枚と取り換え、実施例１で用いた段鼻材付きゴムマットを粘接着して、実施例１と同じ衝撃源、測定条件で、騒音測定を行い、結果を表１に示す。
【００５１】
（比較例１）
図７及び８に示す様な踏板を４枚作製し、実施例１で用いた踏板と取り換えて、図１及び２に示す様な階段構造を施工する。
【００５２】
図７は比較例１に用いた踏板３３の斜視図であり、図７（ａ）は踏板３３のＡ−Ａ断面図、図７（ｂ）は踏板３３のＢ−Ｂ断面図である。踏板３３は、縞鋼板を段鼻側と蹴込み側で折り曲げ、踏面部３３Ａと蹴込み部３３Ｂと段鼻部３３Ｃを形成する。踏板３３は、裏面で、長辺方向に、２本の軽山形鋼３３Ｄ（４０ｍｍ×４０ｍｍ×３．２ｍｍ厚）を溶接し、短辺の両端には、同じ断面の山形鋼３３Ｅを同様に溶接するが、これには２００ｍｍピッチの取付穴３３Ｆを設ける。踏板３３の固定には、取付穴３３Ｆを介するボルトナットを用いる。
【００５３】
得られる鋼製階段の踏板に、実施例１で用いるのと同じ段鼻材付きゴムマットを粘接着して、実施例１と同様に騒音測定を行い、結果を表１に示す。
【００５４】
【表１】
0004509011.tif 000002
【００５５】
表１を参照し、実施例、比較例の結果から、本発明を詳細に説明する。
まず、段鼻材付きゴムマットの性能について、実施例１〜３、比較例１の表面仕上材は音性能に影響がある為、共通の段鼻材付きゴムマットを使用する。この段鼻材付きゴムマットは、表１に示す通り、ゴムマット踏面の輝度（ａ）、段鼻材の輝度（ｂ）より、ａ／ｂ＝１．７５を輝度比として持ち、輝度比の目安１．５以上となっており、明確に階段先端の段鼻材とゴムマット踏面の差が判り、踏み外しは生じないものとされる。
【００５６】
又、段鼻材付きゴムマットは、ノンスリップ性も、段鼻材、ゴムマット踏面、各々濡れた時（Ａ）、乾燥時（Ｂ）の床滑り抵抗値の比（Ａ／Ｂ）が、段鼻材で０．８１、踏面で０．８３となり、何れも、ノンスリップの目安０．７以上となり、濡れても非常に滑り難い事が判る。
【００５７】
次に、階段騒音については、実施例１は、踏板として、中空押出セメント板の両端開口部において、雌ねじを切った鉄片とモルタルとを用い、栓と固定部とを形成したものであり、蹴込み部を含めて一体成型した踏板であり、補強を充分に行った鋼製踏板である比較例１と比べると、衝撃源が鉄球の場合も、ＳＢＲボールの場合も、各周波数で共に騒音が大きく改善されており、特に、６３Ｈｚでは大きく改善されている。又、騒音レベルも、比較例１と比べ、鉄球１０．３ｄＢ（Ａ）、ＳＢＲボールで１３．２ｄＢ（Ａ）の改善がある。
【００５８】
実施例２は、踏板として、コンクリート板を型枠で成型し、同時に蹴込みも成型したものである。比較例１と比べて、鉄球での騒音レベルは１２．４ｄＢ（Ａ）改善し、ＳＢＲボールで１７．１ｄＢ（Ａ）の改善がある。非常に大きな改善であると共に６３Ｈｚでの改善が非常に大きい。
【００５９】
実施例３は、中空押出セメント板の開口両端において、モルタルと雌ねじを切った鉄片とを用い、栓と固定部とを作ったものである。但し、蹴込み部はない。ここでも、騒音レベルは、鉄球のとき７．２ｄＢ（Ａ）改善され、ＳＢＲボールで１１．５ｄＢ（Ａ）改善されており、６３Ｈｚの低減量が何れの衝撃源共に大きくなっているが、蹴込み部を一体成型する実施例１及び２に比べると、著しい改善とは言えない。
【産業上の利用可能性】
【００６０】
以上の様に、本発明は、高い曲げ剛性であるべき踏板に非金属無機質材を使う事で、コストアップ額を低くしたままで、防音面で大きな改善が出来、様々な階段構造の音性能の改善に適用出来得る。
【図面の簡単な説明】
【００６１】
【図１】本発明の１例の階段構造の側面図である。
【図２】図１の階段構造の正面図である。
【図３】図１の階段構造に用いる１例の踏板の斜視図である。
【図４】他の例の踏板の斜視図である。
【図５】（ａ）は１例の階段マットの段鼻部を示す断面図であり、（ｂ）は（ａ）の表面部を拡大した断面図である。
【図６】更に他の例の踏板の斜視図である。
【図７】比較例にかかる踏板の斜視図である。
【図８】（ａ）は図７のＡ−Ａ線で切って見た踏板の断面図であり、（ｂ）はＢ−Ｂ線で切って見た踏板の断面図である。
【符号の説明】
【００６２】
１  階段構造
２  階段桁
２Ａ  垂直部
２Ｂ  傾斜部
３  踏板
３Ａ  踏面部
３Ｂ  蹴込み部
３Ｃ  中空部
３Ｄ  モルタル
４  基盤
５  台部材
６  ボルト
７  雌ネジを切った鉄片
【図１】
0004509011.tif 000003
【図２】
0004509011.tif 000004
【図３】
0004509011.tif 000005
【図４】
0004509011.tif 000006
【図５】
0004509011.tif 000007
【図６】
0004509011.tif 000008
【図７】
0004509011.tif 000009
【図８】
0004509011.tif 000010